(57)【特許請求の範囲】
【請求項１】
記録媒体に対して映像情報の記録再生を行う記録再生装置において、
着脱可能に構成され、かつ、上記記録媒体ごとの検索情報を記憶する不揮発性記憶手段を有し、記録再生装置本体を制御する遠隔制御装置と、
該遠隔制御装置に装着された上記不揮発性記憶手段における上記検索情報を表示する表示手段とを備えることを特徴とする記録再生装置。
【請求項２】
記録媒体に対して映像情報の記録再生を行う記録再生装置において、
着脱可能に構成され、かつ、上記記録媒体ごとの検索情報を記憶する不揮発性記憶手段を有し、記録再生装置本体と上記不揮発性記憶手段との間で上記検索情報の送受信を行い、記録再生装置本体を制御する遠隔制御装置と、
該遠隔制御装置に装着された上記不揮発性記憶手段から該遠隔制御装置を介して受信した上記検索情報を表示する表示手段とを備えることを特徴とする記録再生装置。
【請求項３】
上記記録媒体に対して映像情報を記録すると同時に、該記録媒体に対応する上記検索情報を上記不揮発性記憶手段に記憶させる記憶制御手段を備えることを特徴とする請求項１または２に記載の記録再生装置。
【請求項４】
上記記録媒体に記録された上記映像情報を再生すると同時に、該記録媒体に対応する上記検索情報を上記不揮発性記憶手段に記憶させる記憶制御手段を備えることを特徴とする請求項１または２に記載の記録再生装置。
【請求項５】
上記検索情報は、各記録媒体を識別するためのタイトル情報を含むことを特徴とする請求項１ないし４のいずれか１項に記載の記録再生装置。
【請求項６】
上記検索情報は、上記映像情報における任意の一場面の静止画像であるガイド画像を含み、
該ガイド画像は、上記各タイトル情報に対応するように記憶されることを特徴とする請求項５に記載の記録再生装置。
【請求項７】
上記検索情報は、各記録媒体において上記映像情報が記録可能な残り記録時間を含むことを特徴とする請求項５または６に記載の記録再生装置。
【請求項８】
上記検索情報は、上記映像情報における複数の場面の静止画像であるシーン画像を含み、
該シーン画像は、上記各タイトル情報に対応するように記憶されることを特徴とする請求項５に記載の記録再生装置。
【請求項９】
上記検索情報を、上記表示手段において、一覧にして表示させる表示制御手段を備えることを特徴とする請求項１ないし８のいずれか１項に記載の記録再生装置。
【請求項１０】
上記表示手段において表示された上記検索情報の中から、所望の検索情報が選択されると、該選択された検索情報に対応する記録媒体を再生する再生制御手段を備えることを特徴とする請求項５または６に記載の記録再生装置。
【請求項１１】
上記表示手段において表示された上記シーン画像の中から、所望の場面に対応するシーン画像が選択されると、該選択されたシーン画像に応じた場面より、上記映像情報の再生をする再生制御手段を備えることを特徴とする請求項８に記載の記録再生装置。
【請求項１２】
上記不揮発性記憶手段は、可動部を有さない不揮発性メモリであることを特徴とする請求項１ないし１１のいずれか１項に記載の記録再生装置。
【請求項１３】
上記不揮発性記憶手段は、半導体メモリ、磁気メモリ、または強誘電体メモリのいずれかであることを特徴とする請求項１２に記載の記録再生装置。
【請求項１４】
上記不揮発性記憶手段は、リムーバブルハードディスクであることを特徴とする請求項１ないし１１のいずれか１項に記載の記録再生装置。
【発明の詳細な説明】
【０００１】
【発明の属する技術分野】
本発明は、映像情報を記録媒体に対して記録再生する記録再生装置に関するものである。
【０００２】
【従来の技術】
記録媒体への映像情報の記録、および記録媒体に記録された映像情報の再生、を行う映像情報記録再生装置（記録再生装置）の一例として、光ディスクに対して映像情報の記録再生をする光ディスク記録再生装置がある。
【０００３】
この光ディスクの一例として、圧縮された映像信号および音声信号からなるビットストリームが記録されたＤＶＤ(Digital Video Disc, Digital Versatile Disc)ディスクがある。このＤＶＤディスクへの映像信号および音声信号の記録再生を行う光ディスク記録再生装置として、ＤＶＤプレーヤがある。
【０００４】
ＤＶＤプレーヤによるＤＶＤディスクの再生は、以下のように行われる。
【０００５】
ＤＶＤディスクには、圧縮された映像信号および音声信号などの情報とともに、これらの情報のＤＶＤディスク（ディスク）上における記録位置を示すヘッダ情報が記録されている。
【０００６】
このヘッダ情報は、位置情報、時間間隔情報、および位置情報数からなる。位置情報は、時間間隔情報で指定された時間間隔ごとの、映像情報および画像情報が記録されている、ディスク上における記録位置（アドレス）を示す。また、位置情報数は、ヘッダ情報に含まれている位置情報の数を示す。
【０００７】
そして、ＤＶＤプレーヤが再生を行う際には、まずＤＶＤディスクから上述のヘッダ情報を読み取り、その後にこれを用いて所望のアドレスにアクセスして圧縮された映像情報および画像情報を読み出す。そして、この映像情報および画像情報を復号して、表示画面に再生をする。
【０００８】
このようなＤＶＤプレーヤに関して、再生の際に所望の映像シーンを容易に検索するために、例えば特開２００１−４５４２３号公報においては、以下のような技術が記載されている。
【０００９】
上記公報に記載のＤＶＤプレーヤは、まずＤＶＤディスクからヘッダ情報を読み出す。次に、映像シーンを検索する旨の指示がなされると、ヘッダ情報を用いて、例えば所定の時間間隔ごとの映像データをそれぞれ静止画像としてＤＶＤディスクから読み出す。
【００１０】
そして、得られた複数の静止画像の表示サイズを縮小し、その縮小された各静止画像を１つの画像に合成して、表示画面に合成静止画像を表示する。即ち、画面中には、所定の時間間隔ごとの映像データを静止画像としたものが表示される。
【００１１】
また、上記ＤＶＤプレーヤは、例えば上記合成静止画像から１つの静止画像が選択されると、ＤＶＤディスクにおける対応する記録位置（アドレス）にアクセスして、その選択された画像に対応する映像シーンからＤＶＤディスクの再生を行うようになっている。
【００１２】
従って、この静止画像を参照することにより、所望の映像シーンの検索を容易にできる。
【００１３】
また、特開平６−３０２１５５号公報には、記録再生可能な複数の光ディスクに記録されたデータの管理情報を、内蔵するメモリに保持するビデオディスクレコーダーが記載されている。
【００１４】
【発明が解決しようとする課題】
しかしながら、上記特開２００１−４５４２３号公報に記載のＤＶＤプレーヤにおいては、合成静止画像が映像合成手段（ビデオミキサー）内のメモリに格納されるため、得られた合成静止画像の情報が、ＤＶＤプレーヤの電源のオフとともに消去されてしまう。
【００１５】
このため、例えばその後に再び再生をするときには、上記合成静止画像を参照することができず、映像シーンの検索が困難になる。
【００１６】
また、上記特開平６−３０２１５５号公報に記載のビデオディスクレコーダーにおいては、内蔵されたメモリの残り容量がなくなった場合、古いデータを削除して新しいデータを保存することが必要となる。このため、内蔵メモリに保存されたデータの管理情報を半永久的に保存することができない。
【００１７】
このように、従来では、ディスク（記録媒体）に関する情報を、半永久的に保存することができなかったため、電源がオフになった後や、メモリ容量が少ない場合には、記録再生を行いたい記録媒体を検索することが困難になっていた。
【００１８】
本発明は、上記の問題点に鑑みてなされたものであり、その目的は、記録再生を行いたい記録媒体を容易に検索することのできる記録再生装置を提供することにある。
【００１９】
【課題を解決するための手段】
本発明の記録再生装置は、上記の課題を解決するために、記録媒体に対して映像情報の記録再生を行う記録再生装置において、上記記録媒体ごとの検索情報を記憶し、記録再生装置本体に対して着脱可能に構成されている不揮発性記憶手段と、装着された上記不揮発性記憶手段における上記検索情報を表示する表示手段とを備えることを特徴としている。
【００２０】
上記の構成によれば、不揮発性記憶手段が、記録再生装置本体に対して着脱可能であることにより、不揮発性記憶手段に記録されている検索情報は、記録再生装置の電源がオフされた場合でも保持される。従って、記録媒体に関する情報である検索情報についてのデータ保存における信頼性の向上を図ることができる。
【００２１】
また、不揮発性記憶手段の記憶容量がいっぱいになった、あるいは残り容量が少なくなったとしても、新たな不揮発性記憶手段を記録再生装置本体に装着（接続）することにより、古い情報（検索情報）を削除することなく、新しい情報（検索情報）を追加することができる。
【００２２】
本発明の記録再生装置は、上記の課題を解決するために、記録媒体に対して映像情報の記録再生を行う記録再生装置において、着脱可能に構成され、かつ、上記記録媒体ごとの検索情報を記憶する不揮発性記憶手段を有し、記録再生装置本体を制御する遠隔制御装置と、該遠隔制御装置に装着された上記不揮発性記憶手段における上記検索情報を表示する表示手段とを備えることを特徴としている。
【００２３】
上記の構成によれば、不揮発性記憶手段が、遠隔制御装置に備えられることにより、不揮発性記憶手段に記録されている検索情報は、記録再生装置の電源がオフされた場合でも保持される。従って、記録媒体に関する情報である検索情報についてのデータ保存における信頼性の向上を図ることができる。
【００２４】
また、例えば，記録媒体の数が多い場合など、不揮発性記憶手段の記憶容量がいっぱいになった、あるいは残り容量が少なくなったとしても、新たな不揮発性記憶手段を遠隔制御装置に装着（接続）することにより、古い情報（検索情報）を削除することなく、新しい情報（検索情報）を追加することができる。
【００２５】
さらに、手元にある遠隔制御装置（操作リモコン）において不揮発性記憶手段を交換することができるので、検索作業の操作性の向上を図ることができる。
【００２６】
上記の記録再生装置は、記録媒体に対して映像情報を記録すると同時に、該記録媒体に対応する検索情報を不揮発性記憶手段に記憶させる記憶制御手段を備えることが好ましい。
【００２７】
上記の構成によれば、映像情報の記録媒体への記録とは別に時間をとられることがなく、記録媒体に対して映像情報を記録しながら、記録媒体に対応する検索情報を不揮発性記憶手段に記憶させることができる。
【００２８】
上記の記録再生装置は、記録媒体に記録された映像情報を再生すると同時に、該記録媒体に対応する検索情報を不揮発性記憶手段に記憶させる記憶制御手段を備えることが好ましい。
【００２９】
上記の構成によれば、映像情報の記録媒体への記録とは別に時間をとられることがなく、記録媒体に記録された映像情報を再生しながら、記録媒体に対応する検索情報を不揮発性記憶手段に記憶させることができる。
【００３０】
また、映像情報を見ながら検索情報を選択することができるため、例えば、静止画像を検索情報として記憶する場合にも、その静止画像を時間をかけて選択することができる。従って、不揮発性記憶手段に静止画像を記憶させる際の編集作業が容易になる。
【００３１】
上記の記録再生装置は、検索情報が、各記録媒体を識別するためのタイトル情報を含むことが好ましい。
【００３２】
上記の構成によれば、記録再生を行いたい記録媒体を容易に検索することができる。
【００３３】
上記の記録再生装置は、検索情報が、映像情報における任意の一場面の静止画像であるガイド画像を含み、該ガイド画像は、各タイトル情報に対応するように記憶されることが好ましい。
【００３４】
上記の構成によれば、ガイド画像を用いることにより、記録媒体の視覚的な検索が可能となる。従って、記録再生を行いたい記録媒体を容易に検索することができ、検索作業の操作性の向上を図ることができる。
【００３５】
上記の記録再生装置は、検索情報が、各記録媒体において映像情報が記録可能な残り記録時間を含むことが好ましい。
【００３６】
上記の構成によれば、追加記録を行う際に、残り記録時間を見て追加記録を行う記録媒体を選択することができる。
【００３７】
上記の記録再生装置は、検索情報が、映像情報における複数の場面の静止画像であるシーン画像を含み、該シーン画像は、各タイトル情報に対応するように記憶されることが好ましい。
【００３８】
上記の構成によれば、所望のシーン画像から記録媒体を再生することができる。
【００３９】
上記の記録再生装置は、検索情報を、表示手段において、一覧にして表示させる表示制御手段を備えることが好ましい。
【００４０】
上記の構成によれば、記録再生を行いたい記録媒体を視覚的に容易に検索することができる。従って、検索作業の操作性の向上を図ることができる。
【００４１】
上記の記録再生装置は、表示手段において表示された検索情報の中から、所望の検索情報が選択されると、該選択された検索情報に対応する記録媒体を再生する再生制御手段を備えることが好ましい。
【００４２】
上記の構成によれば、記録媒体の検索作業における操作性の向上を図ることができる。
【００４３】
上記の記録再生装置は、表示手段において表示されたシーン画像の中から、所望の場面に対応するシーン画像が選択されると、該選択されたシーン画像に応じた場面より、映像情報の再生をする再生制御手段を備えることが好ましい。
【００４４】
上記の構成によれば、所望の場面より記録媒体を再生することができ、記録媒体の検索作業における操作性の向上を図ることができる。
【００４５】
上記の記録再生装置は、不揮発性記憶手段が、可動部を有さない不揮発性メモリであることが好ましい。
【００４６】
具体的には、不揮発性記憶手段は、半導体メモリ、磁気メモリ、または強誘電体メモリのいずれかであることが好ましい。
【００４７】
上記の構成によれば、不揮発性記憶手段が可動部を有さないため、低消費電力化を図ることができる。
【００４８】
上記の記録再生装置は、不揮発性記憶手段が、リムーバブルハードディスクであることが好ましい。
【００４９】
上記の構成によれば、記憶容量を大きくすることができ、より多くの検索情報を記憶することができる。
【００５０】
従って、記録媒体の検索の際における操作性の向上を図ることができる。
【００５１】
【発明の実施の形態】
本発明の実施の一形態について図１ないし図９に基づいて説明すれば、以下の通りである。
【００５２】
図２は、本実施の形態に係る記録再生装置（映像情報記録再生装置）の要部の構成を示す。本記録再生装置は、例えば、ＤＶＤ−ＲＯＭ（ＤＶＤ（Digital Video Disc, Digital Versatile Disc）−read only memory）などの光ディスク（記録媒体）に対して、映像情報の記録・再生を行う。ここで、映像情報とは、例えば圧縮された映像信号および音声信号をいう。
【００５３】
同図に示すように、本記録再生装置は、電源スイッチ２、動作表示部３、光ディスク排出ボタン４、光ディスク挿入口５、動作選択スイッチ６、画像選択スイッチ７、画像決定スイッチ８、取り消しスイッチ９、画質制御部１０、およびメモリ接続端子５１を有する記録再生装置本体１と、該記録再生装置本体に着脱可能な不揮発性メモリ（不揮発性記憶手段）５２とを備えている。
【００５４】
電源スイッチ２は、光ディスク再生装置の電源のオン／オフを切り替えるためのものである。
【００５５】
動作表示部３は、図示しない光ディスクに対して記録・再生をする際の、通常記録、通常再生、特殊再生、記録停止、または再生停止などの動作状態を表示する。この動作表示部３には、現在時刻や日付などのカレンダーを表示することもできる。
【００５６】
光ディスク排出ボタン４は、記録再生装置本体１内に挿入されている光ディスクを排出するためのものである。光ディスク挿入口５は、光ディスクを挿入するための入り口である。動作選択スイッチ６は、光ディスクの上記動作状態を切り替える。
【００５７】
画像選択スイッチ７、画像決定スイッチ８、および取り消しスイッチ９は、映像情報を検索するためのディスク検索情報を作成し、またはこれらを参照して検索する場合に用いる。
【００５８】
画質制御部１０は、図示しない表示パネルに表示する画質を制御するためのものである。
【００５９】
不揮発性メモリ（不揮発性記憶手段）５２は、ディスク検索情報（検索情報）を記録するためのものである。不揮発性メモリ５２は、記録再生装置本体１に対して着脱可能な外付けのメモリである。不揮発性メモリ５２は、記録再生装置本体１のメモリ接続端子５１に接続される。
【００６０】
この不揮発性メモリ５２は、例えば、ＳＤカード（登録商標）、メモリースティック（登録商標）などの半導体メモリ、ＭＲＡＭ（magnetic random access memory）などの磁気メモリ、またはＦｅＲＡＭなどの強誘電体メモリなどの可動部を有さないメモリである。
【００６１】
このように、不揮発性メモリ５２が可動部を有さないことにより、低消費電力化を図ることができる。
【００６２】
また、着脱可能であることにより、不揮発性メモリ５２に記録されている情報は、記録再生装置の電源がオフされた場合でも保持される。従って、データ保存における信頼性の向上を図ることができる。
【００６３】
なお、不揮発性メモリ５２として、リムーバブルハードディスクを用いてもよい。これにより、例えば、上記半導体メモリなどを用いるよりも、さらに、記憶容量の大きなメモリとすることができる。これにより、後述する光ディスクの検索の際における操作性の向上を図ることができる。
【００６４】
このような記録再生装置は、光ディスク挿入口５から光ディスクを挿入すると、オートローディングによってその光ディスクを記録再生装置本体１内へとローディングする。そして、上記動作選択スイッチ６によって選択された動作を行う。この再生動作の詳細については後述する。
【００６５】
その後、光ディスク排出ボタン４が押下されると、記録再生装置は光ディスクを排出する。
【００６６】
また、記録再生装置の構成について、図１に基づいて、より詳細に説明すると、以下の通りである。
【００６７】
記録再生装置は、光ディスクＤへの映像情報の記録、および、光ディスクＤに記録された映像情報の再生をする。表示パネル（表示手段）Ｐには、再生されている映像情報や、光ディスクＤに対して映像情報を記録・再生するときに用いる情報（ディスク検索情報）を表示するためのものである。
【００６８】
記録再生装置は、図１に示すように、光ピックアップ１１、光ディスク制御回路１２、信号処理回路１３、不揮発性メモリ（不揮発性記憶手段）１４、システム内部バス１５、第１バッファＲＡＭ（Random Access Memory）１６、システム制御マイコン（システム制御マイクロコンピュータ）（表示制御手段、記憶制御手段、再生制御手段）１７、第２バッファＲＡＭ１８、映像情報変復調部１９、操作キー２０、インターフェースマイコン（インターフェースマイクロコンピュータ）２１、映像情報処理部２２、表示発生部２３、表示制御部２４、ＵＳＢ（Universal Serial Bus）制御部（アクセス手段）２５、インターフェース部２６、および映像情報入力部２７を備えている。
【００６９】
ここで、光ディスクＤは、例えばＤＶＤ−ＲＯＭなどの記録・再生可能な記録媒体である。光ディスクＤは、直径が８ｃｍの光ディスクであっても、あるいは直径が１２ｃｍ、６ｃｍなど、任意の直径の光ディスクであってもよい。
【００７０】
光ピックアップ１１は、光ディスクＤに図示しないレーザ光を照射して、光ディスクＤに対して、映像情報の書き込み（記録）・読み取り（再生）を行う。
【００７１】
光ディスク制御回路１２は、光ピックアップ１１のトラッキング、フォーカシング、ラジアル方向（光ディスク半径方向）の移動、およびレーザ光の照射などを制御するための処理を行う。
【００７２】
信号処理回路１３は、システム内部バス１５と、ＭＰＥＧ−２（moving picture experts group phase 2）映像ストリームの送受信を行う。
【００７３】
システム内部バス１５は、記録再生装置内部におけるデータ転送に用いるための信号線である。
【００７４】
第１バッファＲＡＭ１６は、読み出した情報をバッファするためのものである。読み出した情報を、この第１バッファＲＡＭ１６にバッファすることによって、例えば光ディスクＤの読み出しに一時的な障害があっても、障害の影響をなくして、再生動作を継続して行うことができる。
【００７５】
システム制御マイコン１７は、システム内部バス１５を介したデータ転送を制御するためのものである。
【００７６】
映像情報入力部２７は、光ディスクＤに記録する映像データを後述する映像情報処理部２２に送信する。
【００７７】
第２バッファＲＡＭ１８は、圧縮された映像信号及び音声信号を復調する際のバッファとして用いるためのものであり、いわゆる映像メモリである。第２バッファＲＡＭ１８は、例えばＳＤＲＡＭ（Synchronous Dynamic RAM）よりなる。
【００７８】
映像情報変復調部１９は、第２バッファＲＡＭ１８をバッファとして用いて、圧縮された映像信号及び音声信号を復調、あるいは圧縮された映像信号及び音声信号に変調するためのものである。
【００７９】
操作キー２０は、記録再生装置に対して、記録、再生、停止、検索などの指示を入力するためのものである。この操作キー２０は、図２に示す、電源スイッチ２、排出ボタン４、動作選択スイッチ６、画像選択スイッチ７、画像決定スイッチ８、取り消しスイッチ９、および画質制御スイッチ１０をまとめて示すものである。
【００８０】
インターフェースマイコン２１は、操作キー２０から入力されるデータを、システム制御マイコン１７へと送信するものである。
【００８１】
映像情報処理部２２は、ディジタル映像情報信号とＮＴＳＣ信号との変換を行う。
【００８２】
表示発生部２３は、インターフェースマイコン２１および映像情報処理部２２からの信号を、表示制御部２４に送信する。
【００８３】
表示制御部２４は、表示パネルＰを制御して画像を表示させるためのものでる。
【００８４】
ＵＳＢ制御部２５は、例えば、映像信号および音声信号などを、図示しないパーソナルコンピュータなどの外部機器に送信する。
【００８５】
インターフェース部２６は、図示しない操作リモコン（操作リモートコントローラ）との通信を行うためのインターフェースである。
【００８６】
本実施形態の表示パネルＰは、記録再生装置の外部に備えられた表示パネルである。なお、この表示パネルＰは、例えば記録再生装置と一体となった構成であってもよい。
【００８７】
また、動作表示部３・不揮発性メモリ５２は、それぞれ、図２に示す動作表示部３・不揮発性メモリ５２と同じものである。また、ここでは光ディスクＤのオートローディングおよび排出に関する構成は、図示していない。
【００８８】
さらに、図１のブロック図に示す各ブロックは、それぞれ別個の部材として実現される構成に限るものではなく、例えばプログラムを実行することによって実現される機能ブロックであってもよい。
【００８９】
次に、図３に基づいて、記録再生装置の記録再生を制御する、操作リモコン（遠隔制御装置）３１について説明する。
【００９０】
操作リモコン３１は、記録再生装置を操作するために、記録再生装置と同様の働きをする部材を備えている。
【００９１】
即ち、図３に示すように、操作リモコン３１は、電源スイッチ２と同様の電源スイッチ３２、動作表示部３と同様の動作表示部３３、動作選択スイッチ６と同様の動作選択スイッチ３４、画像選択スイッチ７と同様の画像選択スイッチ３５、画像決定スイッチ８と同様の画像決定スイッチ３６、および、取り消しスイッチ９と同様の取り消しスイッチ３７を備えている。
【００９２】
電源スイッチ３２、動作選択スイッチ３４、画像選択スイッチ３５、画像決定スイッチ３６、および取り消しスイッチ３７は、操作キーを構成しており、記録再生装置に対して、光ディスクＤに対する記録、再生、停止、検索などの指示を入力するためのものである。
【００９３】
操作キーからの入力は、操作リモコン３１における図示しないインターフェースマイコンおよびインターフェース部を介して、記録再生装置のインターフェース部２６へと送信される。これにより、記録再生装置における記録再生などの制御を行うことができる。
【００９４】
また、記録再生装置の動作状態は、記録再生装置から送信された情報を操作リモコン３１における図示しないインターフェース部において受信することにより、動作表示部３３において表示する。
【００９５】
なお、操作リモコン３１において、後述する画像の選択に用いる手段としては、上記画像選択スイッチ３５、画像決定スイッチ３６、および取り消しスイッチ３７に限定されるものではなく、ポインタ制御素子を設けてもかまわない。
【００９６】
この場合、表示発生部２３および表示制御部２４により表示パネルＰに表示されたポインタを操作して、画像の選択、決定、および取り消しを行うことができる。これにより、記録再生装置における検索作業の操作性の向上を図ることができる。
【００９７】
以下、記録再生装置の記録・再生動作について、図１に基づいて説明する。
【００９８】
光ディスクＤから映像情報を再生する場合、まず、光ディスク制御回路１２によって制御された光ピックアップ１１を用いて、光ディスクＤからピット情報をディジタル変調された状態で読み取る。
【００９９】
信号処理回路１３において、ピット情報の波形等化を行い、その後、ＭＰＥＧ−２映像ストリームとしてシステム内部バス１５に出力する。このとき、読み出しエラーなどを回避するために、第１バッファＲＡＭ１６にも、そのＭＰＥＧ−２映像ストリームが一時保存される。
【０１００】
そして、システム制御マイコン１７によって、システム内部バス１５に出力されたデータ（ＭＰＥＧ−２映像ストリーム）の転送制御がなされる。このデータは、映像情報変復調部１９において、第２バッファＲＡＭ１８を映像メモリとして用いて復調される。復調された１６ビットパラレルデータからなるディジタル映像情報信号は、映像情報処理部２２へと送られる。
【０１０１】
映像情報処理部２２は、このディジタル映像情報信号を、ＮＴＳＣ（National Television System Committee）信号に変換する。ＮＴＳＣ信号は、表示発生部２３と表示制御部２４とを介して、表示パネルＰに送信される。表示パネルＰにおいて、ＮＴＳＣ信号は再生画像として表示され、再生が行われる。
【０１０２】
なお、音声信号についても、同様に再生が行われる。即ち、映像データと同様にして、光ディスクＤから読み出されたＭＰＥＧ音声ストリームを音声信号として復調したものが、図示しないスピーカーなどから出力される。
【０１０３】
一方、光ディスクＤに映像情報を記録する場合、まず、システム制御マイコン１７からの命令により、映像情報入力部２７は、映像情報処理部２２に、ＮＴＳＣ信号からなる映像情報を送信する。
【０１０４】
そして、そのＮＴＳＣ信号は、映像情報処理部２２から、表示発生部２３および表示制御部２４を介して、表示パネルＰに送信され、表示される。
【０１０５】
それと同時に、映像情報処理部２２において、ＮＴＳＣ信号は、１６ビットパラレルデータからなるディジタル映像情報信号に変換される。そして、そのディジタル映像情報信号は、第２バッファＲＡＭ１８を映像メモリとした映像情報変復調部１９へと送信され、ＭＰＥＧ−２映像ストリームとしてシステム内部バス１５に出力される。
【０１０６】
システム内部バス１５における映像信号は、システム制御マイコン１７からのの命令により、データ転送が制御される。ここで、ＭＰＥＧ−２映像ストリームは、信号処理回路１３において、光ディスクＤへの記録データ情報に変換された後、光ディスク制御回路１２により制御された光ピックアップ１１を用いて、光ディスクＤへの映像情報記録が行われる。
【０１０７】
ここで、記録エラーなどを回避するため、第１バッファＲＡＭ１６にもＭＰＥＧ−２映像ストリームが一時保存される。
【０１０８】
なお、音声信号についても、同様に記録が行われる。即ち、映像信号と同様にして、音声信号をＭＰＥＧ音声ストリームとしてシステム内部バス１５に出力し、光ディスクＤへの記録データ情報に変換した後、光ディスクＤに記録する。
【０１０９】
また、上述の映像信号および音声信号は、ＵＳＢ制御部２５を介して外部のパーソナルコンピュータに送信することもできる。
【０１１０】
なお、以上においては、映像情報の圧縮方式としてＭＰＥＧ−２形式を用いた例について説明したが、これに限定されるものではなく、例えば、他のＭＰＥＧ形式や、ＪＰＥＧ形式を用いてもかまわない。
【０１１１】
例えば、ＭＰＥＧ形式のＩピクチャを使った静止画像を、あるいはＪＰＥＧ画像を、同様に映像情報変復調部１９を介して表示パネルＰに表示することもできる。
【０１１２】
また、ＪＰＥＧ形式のエンコード（圧縮）動作は、ＭＰＥＧ形式のＩピクチャエンコード動作とほぼ同様な動作である。従って、映像情報変復調部１９において回路の一部の動作を切り替えれば、ＪＰＥＧ形式のエンコード動作も可能となる。
【０１１３】
ここで、システム制御マイコン１７は、光ディスクＤに対して映像情報を記録するときに、同時に、その光ディスクＤに対応するディスク検索情報を不揮発性メモリ５２に記憶させる。
【０１１４】
以下、図４に示すフローチャートを用いて、未使用の記録再生可能な光ディスクＤに映像情報を記録するときの記録動作の一例について説明する。なお、ここで、ディスク検索情報は、光ディスクタイトル（タイトル情報）と、各光ディスクＤにおける任意の場面の複数の静止画像（シーン画像）と、各光ディスクＤにおいて映像情報が記録可能な残り記録時間とを含むとする。
【０１１５】
まず、未使用の光ディスクＤが、光ディスク挿入口５から記録再生装置に挿入され、ローディングされる（Ｓ１１）と、表示パネルＰに光ディスクタイトル入力画面が表示される。光ディスクタイトル入力画面において、上記操作リモコン３１から光ディスクタイトルがキー入力され（Ｓ１２）、入力された光ディスクタイトルは、着脱可能な不揮発性メモリ５２に記録される（Ｓ１３）。
【０１１６】
次に、操作リモコン３１からの記録指示により（Ｓ１４）、映像情報入力部２７から入力された映像情報は、映像情報変復調部１９においてＭＰＥＧ−２映像データストリームに変換され、さらに、信号処理回路１３において光ディスクＤへの記録信号に変換された後、光ディスクＤにディジタル情報として記録される（Ｓ１５）。
【０１１７】
それと同時に、予め入力された一定時間間隔で、上記映像情報が映像情報変復調部１９においてＪＰＥＧ形式の静止画像に変換され、予め不揮発性メモリ５２に記録された光ディスクタイトルと関連づけて不揮発性メモリ５２に複数の静止画像（シーン画像）が記録される（Ｓ１６）。
【０１１８】
光ディスクＤへの映像情報の記録終了後、該光ディスクＤの残り記録時間を不揮発性メモリ５２に記録しておく。
【０１１９】
そして、光ディスクＤおよび不揮発性メモリ５２への記録終了を、操作リモコンから指示（Ｓ１７）し、光ディスク排出ボタン４が押下されることにより、光ディスクＤが排出される（Ｓ１８）。
【０１２０】
このように、光ディスクＤの残り記録時間を不揮発性メモリ５２に記録しておくことにより、光ディスクＤへの追加記録を行う際の時間管理が容易となる。
【０１２１】
なお、ここでは、光ディスクＤに映像情報を記録する際に一定時間間隔で静止画像を不揮発性メモリ５２に記録したが、これに限定されるものではない。例えば、操作リモコンに静止画像取り込みスイッチを設け、リモコン操作にしたがって着脱可能な不揮発性メモリ５２への静止画像記録を行っても、指定した場面の静止画像を不揮発性メモリ５２に記録することが可能となる。
【０１２２】
また、例えば、光ディスクＤへの記録時には不揮発性メモリ５２への静止画像の記録は行わず、光ディスクＤから記録情報を再生する際に着脱可能な不揮発性メモリ５２へ静止画像を記録することも可能である。この場合、不揮発性メモリ５２へ記録する静止画像をゆっくり時間をかけて選択することが可能となり、不揮発性メモリ５２への静止画像記録の編集作業が容易となる。
【０１２３】
上述した不揮発性メモリ５２への複数の静止画像の記録の際に、不揮発性メモリ５２の容量が一杯であれば、新たな不揮発性メモリ５２に交換することができる。
【０１２４】
即ち、不揮発性メモリ５２への複数の静止画像の記録の際に、不揮発性メモリ５２の記憶容量が不足している場合には、システム制御マイコン１７は、記憶容量が不足している旨の表示を、表示パネルＰまたは動作表示部３・３３に表示して、不揮発性メモリ５２の交換を促す。これによって、新たな不揮発性メモリ５２に記憶させることができる。
【０１２５】
次に、図５および図６に基づいて、記録再生装置におけるディスク検索情報について説明する。ここでは、ポインタを用いて表示パネルＰの画面の選択決定を行う場合について説明する。
【０１２６】
複数の光ディスクＤの光ディスクタイトルが記録された不揮発性メモリ５２を、記録再生装置本体１のメモリ接続端子５１に接続した後、操作リモコン３１により検索画像の表示指示を出すと、不揮発性メモリ５２から、記憶されている光ディスクタイトルが読み出され、表示パネルＰにおいて光ディスクタイトルを示すサムネイル画像がディスク検索画像として表示される。
【０１２７】
図５は、複数の光ディスクＤの光ディスクタイトルの一覧（以下、光ディスクタイトル一覧と称する）を表示する画面を示す。まず、光ディスクＤをローディングしていない状態で、操作キー２０の例えば画像決定スイッチ８を押すと、光ディスクタイトル一覧の表示指示がなされる。
【０１２８】
そして、表示パネルＰの表示画面Ｐ１上に、不揮発性メモリ５２から読み出された上述の光ディスクタイトル一覧の情報が、複数のサムネイル画像Ｔ１〜Ｔ１２などとして、選択ポインタＸとともに表示される。
【０１２９】
なお、このときの操作キーおよび画像決定スイッチは、操作リモコン３１のものであってもかまわない。
【０１３０】
ここで、光ディスクタイトル一覧は、光ディスクＤの記録再生に先立ち、操作キー２０から入力した文字情報であっても良いし、光ディスクＤに記録されている映像情報の一静止画像（ガイド画像）であっても良い。
【０１３１】
例えば、光ディスクタイトル一覧として、文字情報と静止画像とをミキシングして表示することにより、より視覚的に、かつ、正確に光ディスクＤを検索することができる。なお、光ディスクタイトルと静止画像とは、１つの光ディスクＤに記録されている内容を示すディスク検索情報として、１つの組となって不揮発性メモリ５２に記録される。
【０１３２】
次に、選択ポインタＸを特定のサムネイル画像、例えばＴ６の上に移動してそのサムネイル画像Ｔ６を選択する。この状態で、選択されたサムネイル画像Ｔ６に対応する光ディスクＤをローディングすることにより、その光ディスクＤの再生を自動的にスタートさせることができる。
【０１３３】
このようなオートスタートシステムを採用することにより、記録再生装置の操作性の向上を図ることができる。
【０１３４】
ここで、選択ポインタＸを選択ボタン５０上に移動し選択することにより、選択されたサムネイル画像を変更することも可能である。
【０１３５】
なお、スクロールバー４５は、サムネイル画像が複数頁に渡って表示される場合の現在の表示位置を示し、複数頁間の移動を行うためのものである。
【０１３６】
通常、光ディスクタイトル一覧として記録されているサムネイル画像の数が多くなると、表示画面Ｐ１では一度に表示しきれなくなる。
【０１３７】
しかしながら、スクロールバー４５を用いて現在の表示位置を示すことにより、光ディスクＤの検索が容易となる。また、スクロールバー４５を用いて頁間の移動を行えば、現在の表示位置を把握しながら選択できるので、より検索が容易となる。
【０１３８】
さらに、特定のサムネイル画像を選択することにより、該サムネイル画像に対応する光ディスクＤの残り記録時間を表示画面Ｐ１の一部に表示する。これにより、複数の光ディスクＤの残り記録時間を素早く判別することができる。
【０１３９】
従って、光ディスクＤへの後述する追加記録を行う際、関連する光ディスクＤの検索と残り記録時間の確認を容易に行うことができる。この結果、記録再生装置の操作性の向上を図ることができる。
【０１４０】
このように、光ディスクタイトル一覧のサムネイル画像Ｔ１〜Ｔ１２は、すべて着脱可能な不揮発性メモリ５２の中に記録された情報であり、記録再生装置の電源スイッチ２をオフにして電源を切断しても、消去されることなく、半永久的に保存することができる。
【０１４１】
従って、電源スイッチ２をオフして、記録再生装置の電源をオフにした後に、電源を再びオンにした場合であっても、不揮発性メモリ５２から上記光ディスクタイトル一覧を読み出して、効率よく光ディスクＤの検索を行うことができる。
【０１４２】
また、記録再生装置は、上述のように、光ディスクタイトル一覧から１つのサムネイル画像を選択し、対応する光ディスクＤを選択するだけでなく、さらに、その光ディスクＤに記録されている映像情報における所定の映像シーン（シーン画像）を検索することもできる。
【０１４３】
そのためには、図５に示す光ディスクタイトル一覧画面において、例えばポインタＸを用いて選択したサムネイル画像Ｔ６を、ポインタＸを用いて再度選択する。
【０１４４】
これにより、不揮発性メモリ５２に記録された上述のシーン画像が読み込まれ、図６に示すように、所定の映像シーンを検索するための映像シーン選択画面が表示画面Ｐ２に表示される。
【０１４５】
ここで、表示画面Ｐ２の左上に表示されたサムネイル画像Ｔ６は、図５に示すサムネイル画像Ｔ６と同じものである。
【０１４６】
それ以外のサムネイル画像Ｑ１〜Ｑ１１は、上述のように不揮発性メモリ５２に記憶されたシーン画像（シーン画像一覧）である。ここで、サムネイル画像Ｑ１〜Ｑ１１は、選択された光ディスクＤに関連して不揮発性メモリ５２に記憶された複数の静止画像である。
【０１４７】
これらのサムネイル画像Ｑ１〜Ｑ１１、および例えば上述のように記録された光ディスクＤの再生開始時からの経過時間などを参照して、所望の映像シーンの検索を容易にすることができる。
【０１４８】
また、上記構成において、表示されているサムネイル画像Ｑ１〜Ｑ１１のうちから１つのサムネイル画像を選択することにより、その選択されたサムネイル画像に対応する映像シーンから、光ディスクＤの再生を開始することもできる。
【０１４９】
即ち、この表示画面Ｐ２上において、例えば表示されているポインタＸを用いて、サムネイル画像Ｑ５を選択する。この選択において、例えば代わりに選択ボタン６１を用いてもよいし、スクロールバー６３を補助的に用いてもよい。また、その他操作キー２０などを用いてもよい。
【０１５０】
次に、上述のようにサムネイル画像Ｑ５が選択された状態で、光ディスクＤをローディングする。これにより、シーン画像としてのサムネイル画像Ｑ１〜Ｑ１１とともに不揮発性メモリ５２に記憶された補助となる情報に基づき、光ディスクＤの記録位置（アドレス）がアクセスされ、選択されたサムネイル画像Ｑ５に対応するシーンから光ディスクＤの再生が行われる。
【０１５１】
即ち、上述と同様に、例えば記録再生装置が複数の光ディスクＤを備えることができる場合には、対応する光ディスクＤを選択し、選択された光ディスクＤの再生を、対応するシーンから行うことができる。
【０１５２】
また、例えば対応する光ディスクＤが備えられていない場合には、その旨を表示パネルＰなどに表示して、対応する光ディスクＤが備えられ次第、その光ディスクＤの再生をそのシーンから行うことができる。
【０１５３】
このようなオートスタートシステムを採用することにより、記録再生装置の操作性の向上を図ることができる。
【０１５４】
このように、シーン画像としてのサムネイル画像Ｑ１〜Ｑ１１を不揮発性メモリ５２に記憶させることにより、光ディスクＤに記録された映像情報の検索作業を簡略化することができる。
【０１５５】
なお、このシーン画像は、例えば所定の時間ごとに表示制御手段としてのシステム制御マイコン１７の制御によって選択がなされる構成であってもよい。
【０１５６】
選択されたシーン画像は、不揮発性メモリ５２に記憶される。また、補助となる情報としての、シーン画像に対応する光ディスクＤ上の記録位置（アドレス）も、不揮発性メモリ５２に記憶される。
【０１５７】
また、シーン画像としての静止画像とともに、光ディスクＤの再生開始時からの経過時間を、補助となる情報として、不揮発性メモリ５２に記憶させることもできる。
【０１５８】
さらに、上述した音声信号の再生において、再生した音声信号の一部を上記静止画像ファイルに添付して、不揮発性メモリ５２に記憶させることもできる。これにより、音声付きの静止画像ファイルを、不揮発性メモリ５２に記憶させることができる。
【０１５９】
以下、ディスク検索情報を参照した検索方法の一例について図７を用いて説明する。
【０１６０】
まず、電源を投入した後、不揮発性メモリ５２を記録再生装置本体１に接続する（Ｓ２１）。
【０１６１】
すると、不揮発性メモリ５２から光ディスクタイトル（タイトル情報）一覧が読み出され、表示パネルＰには、サムネイル画像が表示される（Ｓ２２）。
【０１６２】
その不揮発性メモリ５２に所望の光ディスクタイトルが記憶されていなければ（Ｓ２３でNO）、別の不揮発性メモリ５２に交換する（Ｓ２４）。
【０１６３】
一方、その不揮発性メモリ５２に所望の光ディスクタイトルが記憶されていれば（Ｓ２３でYES）、その所望の光ディスクタイトルを選択して（Ｓ２５）光ディスクＤを選択する（Ｓ２６）。
【０１６４】
その後、上記選択された光ディスクＤについて、その再生を行うのか、またはさらにシーン画像の検索を行うのかについて選択する（Ｓ２７）。
【０１６５】
そして、再生を行う場合、選択した光ディスクＤがローディングされ（Ｓ３１）、ローディングされた光ディスクＤは再生される（Ｓ３２）。
【０１６６】
一方、シーン画像の検索を行う場合、さらに上記光ディスクタイトルを選択することにより、シーン画像一覧がサムネイル画像として表示パネルＰに表示される（Ｓ４１）。
【０１６７】
そして、所望の映像シーンに対応する静止画像を選択する（Ｓ４２）。すると、先に選択された光ディスクＤはローディングされ（Ｓ４３）、その光ディスクＤを、Ｓ４２において選択されたシーンから再生をする（Ｓ４４）。
【０１６８】
また、次に、既に映像情報が記録されている光ディスクＤに追加記録を行う場合の記録方法の一例について、図８を用いて説明する。
【０１６９】
まず、電源を投入した後、不揮発性メモリ５２を記録再生装置本体１に接続する（Ｓ５１）。
【０１７０】
すると、不揮発性メモリ５２から光ディスクタイトル一覧が読み出され、表示パネルＰには、サムネイル画像が表示される（Ｓ５２）。
【０１７１】
そして、その中から追加記録を行いたい光ディスクＤの光ディスクタイトルを選択して（Ｓ５３）光ディスクＤを選択する（Ｓ５４）。
【０１７２】
ここで、光ディスクＤの選択が行えない、即ち、追加記録を行いたい光ディスクＤがない場合は（Ｓ５４でNO）、別の不揮発性メモリ５２に交換する（Ｓ５５でNO、Ｓ５６）。
【０１７３】
一方、既に、全ての不揮発性メモリ５５について光ディスクタイトル一覧を読み出し、追加記録を行いたい光ディスクＤの検索をしている場合は（Ｓ５５でYES）、追加記録の行える光ディスクＤはないものとして、未使用の光ディスクＤがローディングされ（Ｓ７１）、その光ディスクＤに映像情報の記録が行われる（Ｓ７２）。
【０１７４】
また、追加記録する光ディスクＤをＳ５４で選択し（Ｓ５４でYES）、その光ディスクＤの残り記録時間が足りない場合は（Ｓ６０で「なし」）、未使用の光ディスクＤがローディングされ（Ｓ７１）、その光ディスクＤに映像情報の記録が行われる（Ｓ７２）。
【０１７５】
一方、選択された光ディスクＤの残り時間が足りる場合は（Ｓ６０で「有り」）、先に選択された光ディスクＤはローディングされ（Ｓ６１）、映像情報の記録が行われる（Ｓ６２）。
【０１７６】
なお、不揮発性メモリ５２は、記録再生装置本体１に接続される構成に限定されるものではなく、図９に示すように、不揮発性メモリ５２と同様の機能を有する不揮発性メモリ（不揮発性記憶手段）９０が、操作リモコン（遠隔制御装置）に接続されるような構成としてもかまわない。
【０１７７】
このような操作リモコンは、図９に示すように、図３に示す操作リモコン３１と同様、電源スイッチ３２、動作表示部３３、動作選択スイッチ３４、画像選択画像選択スイッチ３５、画像決定スイッチ３６、および、取り消しスイッチ３７を備えている。そしてさらに、着脱可能な外付けメモリである不揮発性メモリ９０と、それを接続するための図示しないメモリ接続端子とを備えている。
【０１７８】
この不揮発性メモリ９０は、例えば、ＳＤカード（登録商標）、メモリースティック（登録商標）などの半導体メモリ、ＭＲＡＭなどの磁気メモリ、またはＦｅＲＡＭなどの強誘電体メモリである。
【０１７９】
この不揮発性メモリ９０を備えた操作リモコンにおいては、ディスク検索情報の記録を行う際、操作リモコンによる制御に伴い、記録再生装置から光ディスクタイトル一覧などに関する情報としてのサムネイル画像の情報が操作リモコンに送信される。操作リモコンにおいては、受信した情報を不揮発性メモリ９０に記憶させる。
【０１８０】
また、例えば、ディスク検索情報を用いた検索を行う際には、操作リモコンによる制御に伴い、不揮発性メモリ９０に記録された光ディスクタイトル一覧などに関する情報が記録再生装置本体１に送信される。そして、記録再生装置は、受信した情報を表示パネルＰに表示する。そして、操作リモコンを用いて、光ディスクタイトル一覧などを参照して検索を行い、光ディスクＤの再生をする。
【０１８１】
以上のように、着脱可能な構成である不揮発性メモリ５２・９０を記録再生装置本体１あるいは操作リモコンに接続することにより、古い情報を削除することなく、新しい情報を追加することができる。
【０１８２】
また、不揮発性メモリ５２・９０に記録されているディスク検索情報は、記録再生装置の電源がオフされた場合でも保持される。従って、光ディスクＤに関する情報であるディスク検索情報についてのデータ保存における信頼性の向上を図ることができる。
【０１８３】
また、操作リモコンに不揮発性メモリ９０が備えられる場合は、手元にある操作リモコンにおいて不揮発性メモリ９０を交換することができるので、検索作業の操作性の向上を図ることができる。
【０１８４】
なお、ディスク検索情報は、光ディスクＤが検索できるものであれば、特に限定されるものではなく、例えば、上記映像情報からは抽出されない、記録再生装置の使用者によって作成される情報であってもよい。
【０１８５】
【発明の効果】
本発明の記録再生装置は、以上のように、記録媒体ごとの検索情報を記憶し、記録再生装置本体に対して着脱可能に構成されている不揮発性記憶手段と、装着された不揮発性記憶手段における検索情報を表示する表示手段とを備える構成である。
【０１８６】
これにより、不揮発性記憶手段に記録されている検索情報は、記録再生装置の電源がオフされた場合でも保持される。従って、記録媒体に関する情報である検索情報についてのデータ保存における信頼性の向上を図ることができる。
【０１８７】
また、不揮発性記憶手段の記憶容量がいっぱいになった、あるいは残り容量が少なくなったとしても、新たな不揮発性記憶手段を記録再生装置本体に装着することにより、古い情報を削除することなく、新しい情報を追加することができるといった効果を奏する。
【０１８８】
本発明の記録再生装置は、以上のように、着脱可能に構成され、かつ、記録媒体ごとの検索情報を記憶する不揮発性記憶手段を有し、記録再生装置本体を制御する遠隔制御装置と、該遠隔制御装置に装着された不揮発性記憶手段における検索情報を表示する表示手段とを備える構成である。
【０１８９】
これにより、不揮発性記憶手段に記録されている検索情報は、記録再生装置の電源がオフされた場合でも保持される。従って、記録媒体に関する情報である検索情報についてのデータ保存における信頼性の向上を図ることができる。
【０１９０】
また、例えば，記録媒体の数が多い場合など、不揮発性記憶手段の記憶容量がいっぱいになった、あるいは残り容量が少なくなったとしても、新たな不揮発性記憶手段を遠隔制御装置に装着することにより、古い情報を削除することなく、新しい情報を追加することができる。
【０１９１】
さらに、手元にある遠隔制御装置において不揮発性記憶手段を交換することができるので、検索作業の操作性の向上を図ることができるといった効果を奏する。
【０１９２】
本発明の記録再生装置は、記録媒体に対して映像情報を記録すると同時に、該記録媒体に対応する検索情報を不揮発性記憶手段に記憶させる記憶制御手段を備える構成である。
【０１９３】
これにより、映像情報の記録媒体への記録とは別に時間をとられることがなく、記録媒体に対して映像情報を記録しながら、記録媒体に対応する検索情報を不揮発性記憶手段に記憶させることができるといった効果を奏する。
【０１９４】
本発明の記録再生装置は、記録媒体に記録された映像情報を再生すると同時に、該記録媒体に対応する検索情報を不揮発性記憶手段に記憶させる記憶制御手段を備える構成である。
【０１９５】
これにより、映像情報の記録媒体への記録とは別に時間をとられることがなく、記録媒体に記録された映像情報を再生しながら、記録媒体に対応する検索情報を不揮発性記憶手段に記憶させることができる。
【０１９６】
また、映像情報を見ながら検索情報を選択することができるため、例えば、静止画像を検索情報として記憶する場合にも、その静止画像を時間をかけて選択することができる。従って、不揮発性記憶手段に静止画像を記憶させる際の編集作業が容易になるといった効果を奏する。
【０１９７】
本発明の記録再生装置は、検索情報が、各記録媒体を識別するためのタイトル情報を含む構成である。
【０１９８】
これにより、記録再生を行いたい記録媒体を容易に検索することができるといった効果を奏する。
【０１９９】
本発明の記録再生装置は、検索情報が、映像情報における任意の一場面の静止画像であるガイド画像を含み、該ガイド画像は、各タイトル情報に対応するように記憶される構成である。
【０２００】
これにより、記録媒体の視覚的な検索が可能となる。従って、記録再生を行いたい記録媒体を容易に検索することができ、検索作業の操作性の向上を図ることができるといった効果を奏する。
【０２０１】
本発明の記録再生装置は、検索情報が、各記録媒体において映像情報が記録可能な残り記録時間を含む構成である。
【０２０２】
これにより、追加記録を行う際に、残り記録時間を見て追加記録を行う記録媒体を選択することができるといった効果を奏する。
【０２０３】
本発明の記録再生装置は、検索情報が、映像情報における複数の場面の静止画像であるシーン画像を含み、該シーン画像は、各タイトル情報に対応するように記憶される構成である。
【０２０４】
これにより、所望のシーン画像から記録媒体を再生することができるといった効果を奏する。
【０２０５】
本発明の記録再生装置は、検索情報を、表示手段において、一覧にして表示させる表示制御手段を備える構成である。
【０２０６】
これにより、記録再生を行いたい記録媒体を視覚的に容易に検索することができる。従って、検索作業の操作性の向上を図ることができるといった効果を奏する。
【０２０７】
本発明の記録再生装置は、表示手段において表示された検索情報の中から、所望の検索情報が選択されると、該選択された検索情報に対応する記録媒体を再生する再生制御手段を備える構成である。
【０２０８】
これにより、記録媒体の検索作業における操作性の向上を図ることができるといった効果を奏する。
【０２０９】
本発明の記録再生装置は、表示手段において表示されたシーン画像の中から、所望の場面に対応するシーン画像が選択されると、該選択されたシーン画像に応じた場面より、映像情報の再生をする再生制御手段を備える構成である。
【０２１０】
これにより、所望の場面より記録媒体を再生することができ、記録媒体の検索作業における操作性の向上を図ることができるといった効果を奏する。
【０２１１】
本発明の記録再生装置は、不揮発性記憶手段が、可動部を有さない不揮発性メモリである構成である。
【０２１２】
具体的には、不揮発性記憶手段は、半導体メモリ、磁気メモリ、または強誘電体メモリのいずれかである構成である。
【０２１３】
これにより、不揮発性記憶手段が可動部を有さないため、低消費電力化を図ることができるといった効果を奏する。
【０２１４】
本発明の記録再生装置は、不揮発性記憶手段が、リムーバブルハードディスクである構成である。
【０２１５】
これにより、記憶容量を大きくすることができ、より多くの検索情報を記憶することができる。従って、記録媒体の検索の際における操作性の向上を図ることができるといった効果を奏する。
【図面の簡単な説明】
【図１】本発明の実施の一形態に係る記録再生装置の要部の構成を示すブロック図である。
【図２】上記記録再生装置の構成を示す斜視図である。
【図３】上記記録再生装置を操作する操作リモコンの構成を示す平面図である。
【図４】未使用の光ディスクへの映像情報の記録手順の一例を示すフローチャートである。
【図５】上記記録再生装置の表示画面の一例を示す平面図である。
【図６】上記記録再生装置の表示画面の他の一例を示す平面図である。
【図７】ディスク検索情報を参照した検索方法の一例を示すフローチャートである。
【図８】既に映像情報が記録されている光ディスクに追加記録を行う場合の記録方法の一例を示すフローチャートである。
【図９】操作リモコンの他の構成を示す平面図である。
【符号の説明】
１    記録再生装置本体
１５    システム内部バス
１７    システム制御マイコン（表示制御手段、記憶制御手段、再生制御手段）
２５    ＵＳＢ制御部
３１    操作リモコン（遠隔制御装置）
５２    不揮発性メモリ（不揮発性記憶手段）
９０    不揮発性メモリ（不揮発性記憶手段）
Ｄ    光ディスク（記録媒体）
Ｐ    表示パネル（表示手段）
Ｔ１〜Ｔ１２  サムネイル画像（検索情報、ガイド画像、ディスク検索情報）
Ｑ１〜Ｑ１１  サムネイル画像（検索情報、シーン画像、ディスク検索情報）
【図１】
0004056779.tif 000002
【図２】
0004056779.tif 000003
【図３】
0004056779.tif 000004
【図４】
0004056779.tif 000005
【図５】
0004056779.tif 000006
【図６】
0004056779.tif 000007
【図７】
0004056779.tif 000008
【図８】
0004056779.tif 000009
【図９】
0004056779.tif 000010